(57)【要約】【課題】接着部材を使用して結合されたタッチパネルと表示パネルの間に形成された空間（内部空間）に対して、通気性を確保してタッチパネルと表示パネルの密着を防止すると同時に、異物の侵入を防止したタッチスクリーン表示装置及びその表示特性維持方法を提供する。【解決手段】  表示パネル、タッチパネル、及び接着部材を含み、表示パネルには有効表示領域及び有効表示領域を取り囲む周辺領域が定義され、タッチパネルは表示パネルと離隔して対向し、接着部はタッチパネルと表示パネルとの間に配置され、接着部は、接着部材及び通気部材を含むか、又は通気路が形成された接着部材からなり、通気部材又は通気路は周辺領域の一部領域に配置され、内部空間に対して、外部からの異物の流入を遮断しながら空気を流入及び流出させる。【選択図】図１
2007293810.tif 000002
【特許請求の範囲】
【請求項１】
有効表示領域及び前記有効表示領域を取り囲む周辺領域が定義された表示パネルと、
前記表示パネルと離隔して対向するタッチパネルと、
接着部材及び通気部材を含む接着部と、を含み、
前記接着部材は前記周辺領域に沿って配置され、前記タッチパネルと前記表示パネルを互いに付着させ、
前記通気部材は前記周辺領域の一部領域に配置され、前記タッチパネルと表示パネルとの間の、前記接着部により囲まれた空間（以下、内部空間という）に対して、外部からの異物の流入を遮断しながら空気を流入及び流出させる、ことを特徴とするタッチスクリーン表示装置。
【請求項２】
前記接着部材は、前記周辺領域に対応して前記表示パネルとタッチパネルとの間に介在する接着テープであることを特徴とする請求項１記載のタッチスクリーン表示装置。
【請求項３】
前記通気部材は、通気性を有する繊維を含むことを特徴とする請求項１記載のタッチスクリーン表示装置。
【請求項４】
前記通気部材は、前記表示パネルと前記接着部材との間に介在することを特徴とする請求項１記載のタッチスクリーン表示装置。
【請求項５】
前記通気部材は、不織布を含むことを特徴とする請求項１記載のタッチスクリーン表示装置。
【請求項６】
前記表示パネルは、
前記タッチパネルと対向する第１基板と、
前記第１基板とタッチパネルとの間に配置され、前記タッチパネルと対向する一面に前記接着部が配置された第２基板と、
前記第１基板と第２基板との間に介在する液晶層と、
前記第２基板と接着部との間に配置され、前記通気部材が接触する偏光フィルムと、を含むことを特徴とする請求項１記載のタッチスクリーン表示装置。
【請求項７】
前記通気部材は、前記タッチパネルと前記接着部材との間に介在することを特徴とする請求項１記載のタッチスクリーン表示装置。
【請求項８】
前記接着部材の一部領域は開口され、
前記通気部材は、前記接着部材の開口に配置され、前記タッチパネルと表示パネルにそれぞれ接触するように嵌挿されていることを特徴とする請求項１記載のタッチスクリーン表示装置。
【請求項９】
前記通気部材の一面は前記タッチスクリーン表示装置の外部の空気と接し、前記一面と対向する前記通気部材の他面は、前記内部空間に露出していることを特徴とする請求項１記載のタッチスクリーン表示装置。
【請求項１０】
前記接着部材は、前記表示パネルと前記タッチパネルとの間に介在する粘着剤であることを特徴とする請求項１記載のタッチスクリーン表示装置。
【請求項１１】
有効表示領域及び前記有効表示領域を取り囲む周辺領域が定義された表示パネルと、
前記表示パネルと離隔して対向するタッチパネルと、
前記周辺領域に沿って配置され前記タッチパネルと前記表示パネルを互いに付着させる接着部材と、
前記接着部材の一部に形成された通気路であって、前記タッチパネルと表示パネルとの間の、前記接着部材により囲まれた空間（以下、内部空間という）に対して、外部からの異物の流入を遮断しながら、空気を流入及び流出させる通気路と、を含むことを特徴とするタッチスクリーン表示装置。
【請求項１２】
前記接着部材は、前記周辺領域に沿って配置された第１及び第２接着テープを含み、
前記通気路は、前記第１接着テープの先端部分（第１端部という）、前記第１端部と対向する前記第２接着テープの先端部分（第２端部という）、前記表示パネル及び前記タッチパネルによって定義されることを特徴とする請求項１１記載のタッチスクリーン表示装置。
【請求項１３】
前記通気路の長さは、前記第１及び第２接着テープの幅より大きいことを特徴とする請求項１２記載のタッチスクリーン表示装置。
【請求項１４】
前記第１端部は第１凸凹形状に形成され、前記第２端部は前記第１凸凹形状と係合する第２凸凹形状に形成されることを特徴とする請求項１３記載のタッチスクリーン表示装置。
【請求項１５】
前記第１端部と第２端部の離隔間隔は、０．０９ｍｍ乃至０．１１ｍｍであることを特徴とする請求項１４記載のタッチスクリーン表示装置。
【請求項１６】
前記通気路は、外部と前記内部空間との間に形成された非線形導管であることを特徴とする請求項１１記載のタッチスクリーン表示装置。
【請求項１７】
前記通気路は、前記内部空間の空気圧力と外部の空気圧力を実質的に同一に維持することを特徴とする請求項１１記載のタッチスクリーン表示装置。
【請求項１８】
有効表示領域及び前記有効表示領域を取り囲む周辺領域が定義された表示パネルと、前記表示パネルと離隔して対向するタッチパネルと、を含むタッチスクリーン表示装置の表示特性維持方法において、
前記表示パネルの周辺領域において、前記タッチパネルと前記表示パネルとの間に接着部材を提供する段階と、
前記周辺領域の少なくとも１つ以上の部分に通気部材又は通気路を配置する段階と、
前記通気部材又は通気路を通じて、外部の空気を、前記タッチパネルと表示パネルとの間の、前記接着部材により囲まれた空間（以下、内部空間という）に通過させて、前記内部空間の空気圧を外部の空気圧（大気圧）と実質的に同一になるように維持する段階と、
前記通気部材又は通気路を経由して前記内部空間に流入しようとする異物を遮断する段階と、を含むことを特徴とするタッチスクリーン表示装置の表示特性維持方法。
【請求項１９】
前記通気部材を配置する段階は、前記タッチパネルと前記表示パネルとの間に通気性繊維を提供する段階を含み、
前記内部空間に流入しようとする異物を遮断する段階は、前記通気性繊維で前記異物を停止させる段階を含むことを特徴とする請求項１８記載のタッチスクリーン表示装置の表示特性維持方法。
【請求項２０】
前記通気路を配置する段階は、外部と前記内部空間との間に非線形導管を提供する段階を含み、
前記内部空間に流入しようとする異物を遮断する段階は、前記非線形導管の屈曲部で前記異物を閉じ込める段階を含むことを特徴とする請求項１９記載のタッチスクリーン表示装置の表示特性維持方法。
【発明の詳細な説明】
【技術分野】
【０００１】
本発明は、タッチスクリーン表示装置に係り、より詳細には、周辺の空気圧力変化によって画質が低下する不良を防止したタッチスクリーン表示装置及びその表示特性維持方法に関する。
【背景技術】
【０００２】
一般に、ディスプレイ装置は、情報処理装置から印加された電気的信号を画像に変換する。従来のディスプレイ装置と情報処理装置は、一方向通信のみが可能であった。従って、ディスプレイ装置から新しい画像をディスプレイするためには、情報処理装置に情報を入力するデータ入力装置、例えば、キーボード、キーパッド、マウス等を必要とする。
【０００３】
最近開発されたディスプレイ装置のうちの１つのディスプレイ装置は、画像を再構成する機能を有する。即ち、作業者は画像がディスプレイされたスクリーンに直接命令を入力することにより、情報処理装置からディスプレイ装置に情報が出力され、画像が再構成される。即ち、これはディスプレイ装置と情報処理装置との両方向通信が可能になったことを意味する。
【０００４】
前述したように、ディスプレイされたスクリーンに直接情報を入力する情報処理装置としては、代表的には、表示パネル上に一種のセンサーであるタッチパネルを積層して構成された、タッチスクリーン表示装置が使用される。前記タッチパネルは、表示パネルに表示された情報に対してユーザが選択した指示内容の位置を検出する。
【０００５】
前記タッチパネルは前記表示パネルから所定間隔だけ離隔し、フレーム又は粘着剤を使用して前記タッチパネルと表示パネルとの間の離隔間隔を維持する。その際、前記フレーム又は粘着剤によって前記タッチパネルと表示パネルとの間の空間（以下、内部空間という）は微細な空隙を除いて密閉されているが、前記微細な空隙を通じて、外部から前記内部空間に空気が流入するか、又は前記内部空間から外部に空気が流出することができる。
【０００６】
例えば、前記タッチスクリーン表示装置を航空機により輸送する場合、非常に高い高度では航空機内の気圧が大気圧より低くなる。その際、前記内部空間に大気圧下で流入した空気は、前記内部空間から外部に流出する。航空機による運送時間は充分に長いので、微細な空隙を通じて空気が流出し、内部空間の気圧が外部の低い気圧と同じになる時間が充分ある。
【０００７】
その後、航空機が着陸して前記タッチスクリーン表示装置の周辺の外部の気圧が相対的に速く大気圧に回復すると、内外部圧力差によって一部領域で前記タッチパネルが前記表示パネルに密着する現象が発生することになり、他の領域では前記タッチパネルが前記表示パネルから離隔された状態が維持される。その結果、タッチパネルと表示パネルとの間の静電気的引力と内外部気圧差等によってタッチパネルが元の形状に復帰しないという現象が発生する。
【０００８】
他の場合で、ユーザがタッチパネルをタッチすると、タッチパネルと表示装置との間に存在する空気が微細な空隙を通じて外部に漏出し、タッチパネルが表示パネルに密着され、その結果、タッチパネルと表示パネルとの間の静電気的引力と内外部気圧差によってタッチパネルが元の位置に復帰しないという現象が発生する。このような現象は、手（指）でタッチパネルを押す力は、タッチパネルと表示装置との間に存在する空気を微細な空隙を通じて漏出させるのに充分であるが、タッチパネルの復元力は、微細な空隙を通じて外部の空気を内部に流入させるには不充分であることによる。
【０００９】
その結果、前記表示パネルに表示される画像が歪曲して視認され、前記タッチパネルを通じた情報の入力に障害となる不良が頻繁に発生している。
微細な空隙のサイズを大きくすれば通気性が良くなり、以上のような画像歪曲不良は解消されるが、今度は、その微細な空隙を通じて外部空気中の埃等の異物の侵入を招いてしまい、表示特性の画質が劣化する。
【発明の開示】
【発明が解決しようとする課題】
【００１０】
本発明の技術的課題は、このような従来の問題点を解決するためのもので、本発明の目的は、接着部材を使用して結合されたタッチパネルと表示パネルの間に形成された空間に対して、通気性を確保してタッチパネルと表示パネルの密着を防止すると同時に、異物の侵入を防止したタッチスクリーン表示装置を提供することにある。
【００１１】
本発明の他の目的は、前記タッチスクリーン表示装置の表示特性維持方法を提供することにある。
【課題を解決するための手段】
【００１２】
前記目的を達成するためになされた本発明によるタッチスクリーン表示装置は、表示パネル、タッチパネル、及び接着部を含む。前記表示パネルには、有効表示領域及び前記有効表示領域を取り囲む周辺領域が定義される。前記タッチパネルは、前記表示パネルと離隔して対向する。前記接着部は、接着部材及び通気部材を含む。前記接着部材は、前記周辺領域に沿って配置され、前記タッチパネルと前記表示パネルを互いに付着させる。前記通気部材は、前記周辺領域の一部領域に配置され、前記タッチパネルと前記表示パネルとの間の、前記接着部材により囲まれた空間（以下、内部空間という）に対して、外部からの異物の流入を遮断しながら空気を流入及び流出させる。
【００１３】
好ましくは、前記接着部材は、前記周辺領域に対応して前記表示パネルとタッチパネルとの間に介在する接着テープである。
また好ましくは、前記通気部材は、通気性繊維を含む片である。
また好ましくは、前記通気部材は不織布からなる。
また好ましくは、前記通気部材は、前記表示パネルと前記接着部材との間に介在する。
また好ましくは、前記表示パネルは、第１基板、第２基板、液晶層、及び偏光フィルムを含む。前記第１基板は前記タッチパネルと対向し、前記第２基板は前記第１基板とタッチパネルとの間に配置される。前記接着部は、前記タッチパネルと対向する前記第２基板の一面に配置される。前記液晶層は、前記第１基板と第２基板との間に介在する。前記偏光フィルムは、前記第２基板と接着部との間に配置され、前記通気部材は前記偏光フィルムに接触する。
【００１４】
また好ましくは、前記通気部材は、前記タッチパネルと前記接着部材との間に介在する。
また好ましくは、前記接着部材の一部領域には前記通気部材が配置される開口が形成され、前記通気部材は前記タッチパネルと表示パネルにそれぞれ接触するように嵌挿されている。
また好ましくは、前記通気部材の一面は前記タッチスクリーン表示装置の外部の空気と接し、前記一面と対向する前記通気部の他面は、前記タッチパネルと表示パネルとの間に露出している。
また好ましくは、前記接着部は、前記表示パネルと前記タッチパネルとの間に介在する粘着剤である。
【００１５】
前記目的を達成するためになされた本発明によるタッチスクリーン表示装置は、表示パネル、タッチパネル、及び接着部材を含む。前記表示パネルには、有効表示領域及び前記有効表示領域を取り囲む周辺領域が定義される。前記タッチパネルは、前記表示パネルと離隔して対向する。前記接着部材は、前記周辺領域に沿って配置され前記タッチパネルと前記表示パネルを互いに付着させる。前記接着部材には通気路が形成される。前記通気路は、前記タッチパネルと表示パネルとの間の、前記接着部材により囲まれた空間（以下、内部空間という）に対して、外部からの異物の流入を遮断しながら、空気を流入及び流出させる経路を提供する。
【００１６】
また好ましくは、前記接着部材は、前記周辺領域に沿って配置された第１及び第２接着テープを含む。前記通気路は、前記第１接着テープの先端部分（第１端部という）、前記第１端部と離隔して対向する前記第２接着テープの先端部分（第２端部という）、前記表示パネル及びタッチパネルによって定義される。
また好ましくは、前記通気路の長さは、前記第１及び第２接着テープの幅より大きい。
また好ましくは、前記第１端部は第１凸凹形状に形成され、前記第２端部は前記第１凸凹形状と係合する第２凸凹形状に形成される。
また好ましくは、前記第１端部と第２端部の離隔間隔は、０．０９ｍｍ乃至０．１１ｍｍである。
また好ましくは、前記通気路は、外部と前記内部空間との間に形成された非線形導管である。
また好ましくは、前記通気路は、前記内部空間の空気圧力と外部の空気圧力を実質的に同一に維持する。
【００１７】
前記他の目的を達成するためになされた本発明によるタッチスクリーン表示装置の表示特性維持方法は、有効表示領域及び前記有効表示領域を取り囲む周辺領域が定義された表示パネルと、前記表示パネルと離隔して対向するタッチパネルと、を含み、前記表示パネルの周辺領域において、前記タッチパネルと前記表示パネルとの間に接着部材を提供する段階と、前記周辺領域の少なくとも１つ以上の部分に通気部材又は通気路を配置する段階と、前記通気部材又は通気路を通じて、外部の空気を、前記タッチパネルと表示パネルとの間の、前記接着部材により囲まれた空間（以下、内部空間という）に通過させて、前記内部空間の空気圧を外部の空気圧（大気圧）と実質的に同一になるように維持する段階と、前記通気部材又は通気路を経由して前記内部空間に流入しようとする異物を遮断する段階と、を含む。
【００１８】
好ましくは、前記通気部を配置する段階は、前記タッチパネルと前記表示パネルとの間に通気性繊維を提供する段階を含み、前記内部空間に流入しようとする異物を遮断する段階は、前記通気性繊維で前記異物を停止させる段階を含む。
【００１９】
また好ましくは、前記通気部を配置する段階は、前記外部と前記空間との間に非線形導管を提供する段階を含み、前記空間に流入しようとする異物を遮断する段階は、非線形導管の屈曲部で前記異物を閉じ込める段階を含む。
【発明の効果】
【００２０】
本発明によるタッチスクリーン表示装置及びその表示特性維持方法によると、通気部材を伴う、又は通気路を有する、接着部材を使用して表示パネル及びタッチパネルを結合しているので、前記タッチパネルと表示パネルとの間の、前記接着部材により囲まれた空間（以下、内部空間という）の空気圧は、タッチスクリーン表示装置の外部圧力に順応して変化し、タッチパネルが表示パネルに部分的に、一時的に密着した場合でも正常な離隔状態に復帰する。同時に、本発明による通気部材又は通気路は、埃等のパーティクルのような異物の侵入を防止するので、前記内部空間は汚染されない。従って、画像の歪曲や画質の劣化を含む画質不良を防止することができる。
【発明を実施するための最良の形態】
【００２１】
以下、添付図面を参照して、本発明の好ましい実施例を詳細に説明する。
［タッチスクリーン表示装置］
【実施例１】
【００２２】
図１は、本発明の一実施例によるタッチスクリーン表示装置の分解斜視図である。図２は、図１に示したタッチスクリーン表示装置をＩ−Ｉ’に沿って切断した断面図である。
【００２３】
図１及び図２を参照すると、タッチスクリーン表示装置は、表示パネル１０、タッチパネル３０、及び接着部５０を含む。
【００２４】
前記表示パネル１０は、駆動回路部（図示せず）から入力された画像データ信号と自然光又は背面から提供された人工光からなる光源を利用して画像を表示するためのものであり、ほぼ４角形プレート形状を有する。前記表示パネル１０には、有効表示領域ＤＡ及び前記有効表示領域ＤＡを取り囲む周辺領域ＰＡが定義（画定）される。
前記有効表示領域ＤＡは、前記表示パネル１０の前面（ｆｒｏｎｔ  ｆａｃｅ）より小さな面積を有する４角形プレート形状を有する。前記表示パネル１０は、第１基板１１、第２基板１３、液晶層（図示せず）、第１及び第２偏光フィルム１５、１７を含む。
【００２５】
前記第１基板１１及び第２基板１３は、ほぼ４角形プレート形状を有し、互いに対向する。前記液晶層は、前記第１基板１１と第２基板１３との間に介在する。
前記第１基板１１には、前記有効表示領域ＤＡに対応して多数の画素電極及び前記画素電極を制御するスイッチング素子が形成される。
第２基板１３は、前記画素電極に対応する部分が開口され格子形態に形成された光遮断パターン、前記画素電極と対応する部分に形成されるカラーフィルタ、及び第２基板１３の前面に形成される共通電極を含む。
前記カラーフィルタは、レッドフィルタ、グリーンフィルタ、及びブルーフィルタを含み、前記カラーフィルタは、前記液晶層を透過した光の入射を受けて前記カラーフィルタ固有の色相を再現する。
フレキシブル印刷回路基板１２は、前記第１基板１１の一端部に連結される。
【００２６】
前記第１偏光フィルム１５は前記第１基板１１の背面に付着され、前記液晶層に入射する背面光を偏光させる。前記第２偏光フィルム１７は前記第２基板１３の前面に付着され、前記液晶層及びカラーフィルタを透過した光を偏光させる。
【００２７】
前記タッチパネル３０は、前記表示パネル１０に表示された情報に対してユーザが選択した指示内容の位置を検出するためのものであり、画像が表示される前記第２基板１３上に積層される。
前記タッチパネル３０は、前記第２偏光フィルム１７上に配置される下部基板、前記下部基板から所定間隔だけ離隔した上部基板、前記下部基板及び上部基板の互いに向かい合う面にそれぞれ形成される下部透明電極及び上部透明電極を含む。
【００２８】
図３は、図２に示したＡ領域の拡大図である。
【００２９】
図１乃至図３を参照すると、前記接着部５０は、接着部材５１及び通気部材５５を含み、前記接着部材５１は、前記タッチパネル３０を前記表示パネル１０上に固定する。本実施例において、前記接着部材５１は、両面接着テープ又は両面接着フィルムである。本実施例において、接着テープと接着フィルムを交互に使用することができる。これと異なる実施例において、前記接着部材５１は粘着剤であり得る。
【００３０】
前記接着部材５１は、前記周辺領域ＰＡに沿って前記第２偏光フィルム１７と前記タッチパネル３０の下部基板との間に介在する。前記接着部材５１を介して前記第２偏光フィルム１７と前記下部基板が互いに接着され、その結果、前記タッチパネル３０は前記表示パネル１０上に固定される。
【００３１】
その際、前記タッチパネル３０は、前記表示パネル１０から所定間隔だけ離隔し、前記接着部材５１は前記タッチパネル３０と表示パネル１０との間の空間の周りを閉鎖し、内部空間を画定する。
【００３２】
一方、前記通気部材５５は、前記タッチスクリーン表示装置の外部から前記内部空間への、微細なパーティクル３のような異物の流入を遮断する。又、前記通気部材５５は、前記タッチスクリーン表示装置の外部から前記内部空間へ、又は前記内部空間から外部へ、空気を自由に流入及び流出させる。
【００３３】
前記通気部材５５は、前記接着部材５１と一体に形成された通気性組織であるか、又は前記接着部材５１とは別の部材であり得る。本実施例において、前記通気部材５５は、前記接着部材５１に付着される別の部材であって、通気性繊維の一片である。前記通気性繊維の例としては、不織布が挙げられる。
【００３４】
前記不織布は織布工程を経ることなく、平行又は不定方向に繊維を配列して合成樹脂接着剤で結合してフェルト形状に製造される。前記不織布は、浸漬式や乾式等によって製造される。前記浸漬式は抄紙式とも言われ、繊維を合成樹脂接着剤筒に入れて浸した後、乾燥及び熱処理する製造方式であり、紙の製造工程と類似である。前記乾式は、繊維を薄い綿形状に製作し、そこに合成樹脂を噴出して熱を加えて乾燥させる製造方式である。前記不織布を形成する繊維は、縦横の方向性が無く、ランダムに互いに束縛されているので、前記不織布は通気性を有するが、埃等のパーティクル３は前記不織布を通過することができない。
【００３５】
前記通気部材５５が前記接着テープ５１に付着されることにより、前記通気部材５５は前記周辺領域ＰＡの一部領域に配置される。前記通気部材５５が配置される位置及び個数は、前記タッチスクリーン表示装置のサイズ及び前記タッチパネル３０と表示パネル１０との間の離隔間隔等によって変更することができる。本実施例において、前記通気部材５５は、前記表示パネル１０の周辺領域ＰＡの、２つの長辺の中央部にそれぞれ配置され、前記接着テープ５１と第２偏光フィルム１７との間に介在する。
【００３６】
前記通気部材５５の幅は前記周辺領域ＰＡの幅と同じであるか、小さいことが好ましい。前記通気部材５５の一面は前記タッチスクリーン表示装置の外部の空気と接して、前記一面と対向する前記通気部材５５の他面は前記内部空間に露出している。
【００３７】
前記通気部材５５が通気性を有することにより、前記内部空間の空気圧は、前記タッチスクリーン表示装置の外部の空気圧に順応する。例えば、前記タッチスクリーン表示装置の外部気圧が大気圧から大気圧より低い気圧に変化する場合、前記内部空間から外部に空気が流出する。逆に外部の気圧が前記内部空間の空気圧より高くなる場合、外部から前記内部空間に空気が流入する。従って、内外部気圧が常に同一に維持され、前記タッチパネル３０が前記表示パネル１０と密着する現象が発生しないことになる。又、ユーザのタッチ等で前記タッチパネル３０と前記表示パネル１０が密着する場合にも、前記通気部材５５を通じて外部の空気が前記内部空間に入るので、前記タッチパネル３０の復元力が働き、タッチパネル３０を元の形態に容易に復元できる。
【実施例２】
【００３８】
図４は、本発明の一実施例によるタッチスクリーン表示装置の断面図である。
【００３９】
図４を参照すると、タッチスクリーン表示装置２００は、表示パネル２１０、タッチパネル２３０、第１偏光フィルム２１５、第２偏光フィルム２１７、接着部材２５１及び通気部材２５５からなる接着部２５０、及びフレキシブル印刷回路基板２１２を含む。
【００４０】
前記タッチスクリーン表示装置２００は、前記接着部材２５１及び通気部材２５５が配置される位置を除いては、上記実施例１（図１乃至図３）に示したタッチスクリーン表示装置を実質的に同じである。
【００４１】
即ち、前記第１偏光フィルム２１５、第１基板２１１、第２基板２１３、及び第２偏光フィルム２１７は、この順に積層配置され、液晶層は前記第１基板２１１と第２基板２１３との間に介在する。
【００４２】
また、前記タッチパネル２３０は、前記第２偏光フィルム２１７上に一定間隔だけ離隔するように配置される。
【００４３】
また、前記接着部２５０は、前記表示パネル２１０に定義された周辺領域ＰＡに対応して、前記第２偏光フィルム２１７とタッチパネル２３０との間に介在する。前記接着部２５０は、接着部材２５１及び通気部材２５５を含む。前記接着部材２５１は、例えば、接着テープ２５１であり、前記第２偏光フィルム２１７と前記タッチパネル２３０を互いに接着させる。他の例として、前記接着部材２５１は、接着剤である。前記通気部材２５５は、前記接着テープ２５１に付着された通気性繊維の片である。
本実施例においては、上記実施例１の場合と異なり、前記通気部材２５５が前記タッチパネル２３０と接着テープ２５１との間に介在する。
【００４４】
前記通気部材２５５が付着された接着テープ２５１が前記表示パネル２１０の周辺領域ＰＡに接着された後、前記タッチパネル２３０をアラインさせて付着させるか、又は、前記接着テープ２５１を前記タッチパネル２３０の背面に付着した後、前記表示パネル２１０に前記タッチパネル２３０を付着する。
【実施例３】
【００４５】
図５は、本発明の一実施例によるタッチスクリーン表示装置の分解斜視図である。図６は、図５に示したタッチスクリーン表示装置をＩＩ−ＩＩ’に沿って切断した断面図である。
【００４６】
図５及び図６を参照すると、タッチスクリーン表示装置４００は、表示パネル４１０、タッチパネル４３０、第１偏光フィルム４１５、第２偏光フィルム４１７、接着部４５０、及びフレキシブル印刷回路基板４１２を含む。
【００４７】
前記タッチスクリーン表示装置４００は、前記接着部４５０を除いては、上記実施例１（図１乃至図３）に示したタッチスクリーン表示装置と実質的に同じである。
【００４８】
即ち、前記第１偏光フィルム４１５、第１基板４１１、第２基板４１３、及び第２偏光フィルム４１７は、この順に積層配置され、液晶層は前記第１基板４１１と第２基板４１３との間に介在する。
【００４９】
また、前記タッチパネル４３０は、前記第２偏光フィルム４１７上に一定間隔だけ離隔するように配置される。
【００５０】
また、前記接着部４５０は、前記表示パネル４１０に定義された周辺領域ＰＡに対応して、前記第２偏光フィルム４１７とタッチパネル４３０との間に介在する。
【００５１】
前記接着部４５０は、接着部材４５１及び通気部材４５５を含む。
【００５２】
前記接着部材４５１は、例えば、接着テープ又は接着フィルムである。
前記接着部材４５１が接着テープ又は接着フィルムを含む時、本実施例においては、上記実施例１、２と異なり、前記接着テープ（接着部材）４５１のうち、前記表示パネル４１０の周辺領域ＰＡの、長辺の中央部２箇所に対応する部分がそれぞれ除去される。これによって、前記接着テープ４５１には、前記タッチスクリーン表示装置４００の外部から前記タッチパネル４３０と表示パネル４１０との間の空間に連通する開口が形成される。即ち、前記接着部材４５１は、前記開口を形成するために、その端部が互いに一定間隔だけ離隔した実質的に２つのＵ字部を含む。前記接着部材４５１は、前記周辺領域ＰＡの領域に選択的に提供される粘着剤を含む。
【００５３】
前記通気部材４５５は通気性繊維の片で、前記接着テープ４５１が開口された周辺領域ＰＡに配置される。従って、前記通気部材４５５は、前記タッチパネル４３０と表示パネル４１０にそれぞれ接触する。本実施例においては、上記実施例１、２の場合と異なり、前記接着テープ４５１と前記通気部材４５５が積層されることなく、同じ層に形成される。従って、前記表示パネル４１０とタッチパネル４３０との間の離隔間隔がより一定に形成される。
【実施例４】
【００５４】
図７は、本発明の一実施例によるタッチスクリーン表示装置の分解斜視図であり、図８は、図７に示したタッチスクリーン表示装置の、接着部材６５０の平面図である。
【００５５】
図７及び図８を参照すると、タッチスクリーン表示装置６００は、表示パネル６１０、第１偏光フィルム６１５、第２偏光フィルム６１７、タッチパネル６３０、及び接着部材６５０を含む。
【００５６】
前記タッチスクリーン表示装置６００では、上記実施例１〜３における通気部材が削除され、代わりに前記接着部材６５０に通気路６５７が形成された点、従って前記接着部材６５０の形状を除いては、上記実施例１〜３（図１〜図６）に示したタッチスクリーン表示装置と実質的に同じである。
【００５７】
即ち、前記第１偏光フィルム６１５、第１基板６１１、第２基板６１３、及び第２偏光フィルム６１７は、この順に積層配置され、液晶層は前記第１基板６１１と第２基板６１３との間に介在する。
【００５８】
また、前記タッチパネル６３０は、前記第２偏光フィルム６１７上に一定間隔だけ離隔して配置される。
【００５９】
また、前記接着部材６５０は、前記表示パネル６１０に定義された周辺領域ＰＡに対応して、前記第２偏光フィルム６１７とタッチパネル６３０との間に介在する。前記接着部材６５０は、前記表示パネル６１０とタッチパネル６３０を互いに接着させる。
本実施例においては、前記接着部材６５０には、前記表示パネル６１０の周辺領域ＰＡの、長辺側の中央部２箇所に対応する部分に通気路６５７が形成される。前記タッチスクリーン表示装置６００の外部から前記タッチパネル６３０と表示パネル６１０との間の空間に、又はその逆に、前記通気路６５７を通じて空気が流入又は流出する。
【００６０】
具体的には、前記接着部材６５０は、前記周辺領域ＰＡに沿って配置された第１及び第２接着テープ６５３、６５５を含む。
【００６１】
前記第１接着テープ６５３は実質的にＵ字形状を有し、そのＵ字形の底辺が前記表示パネル６１０の周辺領域ＰＡの短辺に配置され、前記第１接着テープ６５３のＵ字形の２つの側辺は、前記表示パネル６１０の周辺領域ＰＡの長辺に沿って、その中央部まで延長される。
【００６２】
前記第２接着テープ６５５も実質的にＵ字形状を有し、前記表示パネル６１０の周辺領域ＰＡの、前記第１接着テープ６５３が配置された短辺側と対向する短辺側に配置される。前記第２接着テープ６５５のＵ字形の２つの側辺は、前記表示パネル６１０の周辺領域ＰＡの長辺に沿って、その中央部まで延長され、図８のＢ領域に示すように、前記第１接着テープ６５３のＵ字形の２つの側辺の先端部分（以下、第１端部という）と前記第２接着テープ６５５のＵ字形の２つの側辺の先端部分（以下、第２端部という）とが、それぞれ対面する。
【００６３】
図９は、図８に示したＢ領域の拡大図である。
【００６４】
図８及び図９を参照すると、前記通気路６５７は、前記第１端部、前記第１端部と離隔して対向する前記第２端部、前記表示パネル６１０（又は、その一部である、前記第２偏光フィルム６１７）、及びタッチパネル６３０によって定義される。
【００６５】
前記タッチパネル６３０と前記表示パネル６１０との間の内部空間への、異物、例えば、埃等のパーティクル６０３の流入を遮断するために、前記通気路６５７は、直線状ではなく、１つ以上の位置で折り曲げられることが好ましい。従って、前記通気路６５７の長さは、前記第１接着テープ６５３及び第２接着テープ６５５の幅より大きい。前記通気路６５７は、前記タッチスクリーン表示装置の外部と前記内部空間との間に非線形導管（直線状ではない導管）を形成する。本実施例において、前記第１端部は第１の凸凹形状に形成され、前記第２端部は前記第１の凸凹形状と係合する第２の凸凹形状に形成される。
【００６６】
例えば、図９に示すように、前記第１端部には凹所が形成され、前記第２端部には前記ホールに挿入される突出部が形成される。その結果、前記第１端部と第２端部によって定義される前記通気路６５７は４つの位置で折り曲げられる。
【００６７】
前記パーティクル６０３の流入を遮断するためには、前記第１端部と第２端部の離隔間隔が狭いほど好ましいが、前記第１端部と第２端部を離隔させて配置する工程を容易に行うために、前記第１端部と第２端部は０．１ｍｍ程度、例えば、約０．０９ｍｍ〜０．１１ｍｍ程度離隔することが好ましい。
【実施例５】
【００６８】
図１０は、本発明の一実施例によるタッチスクリーン表示装置の、接着部材８５０の平面図の部分拡大図である。
【００６９】
本実施例によるタッチスクリーン表示装置８００は、通気路８５７の形状を除いては、上記実施例４（図７乃至図９）に示したタッチスクリーン表示装置６００と実質的に同じである。従って、図１０では、第２偏光フィルム８１７に付着された接着部材８５０のみを図示した。
【００７０】
即ち、図１０を参照すると、タッチスクリーン表示装置８００は、表示パネル、第１偏光フィルム、第２偏光フィルム８１７、タッチパネル、及び接着部材８５０を含む。前記接着部材８５０は、第１及び第２接着テープ８５３、８５５を含む。
【００７１】
また、前記通気路８５７は、前記第１接着テープ８５３のＵ字形の２つの側辺の先端部分（以下、第１端部という）、前記第１端部と離隔して対向する前記第２接着テープ８５５のＵ字形の２つの側辺の先端部分（以下、第２端部という）、前記表示パネル（又は、その一部である、前記第２偏光フィルム８１７）、及びタッチパネルによって定義される。
【００７２】
前記第１端部は第１凸凹形状に形成され、前記第２端部は前記第１凸凹形状と係合する第２凸凹形状に形成される。前記第１凸凹形状及び第２凸凹形状は曲線状に形成され、従って前記通気路８５７は蛇行形状に形成される。
【００７３】
前記通気路８５７を通じて前記タッチスクリーン表示装置８００の外部から前記タッチパネルと表示パネルとの間の空間に、又は、その逆に空気が流入及び流出する。しかし、前記通気路８５７を通じて埃等のパーティクル８０３は流入できないか、流入しても前記通気路８５７が多数回折り曲げられているので、前記通気路８５７の折り曲げられた位置に停滞する。
【産業上の利用可能性】
【００７４】
以上詳細に説明したように、本発明によると、タッチパネルと表示パネルとを接着部材を使用して互いに付着させて、前記タッチパネルと表示パネルとの間の空間を、通気部材又は通気路のある部分を除いて密閉し、例えば通気性繊維又は不織布からなる通気部材、又は通気路を前記接着部材が配置される周辺領域に共に配置する。従って、前記タッチパネルと表示パネルとの間の空間の空気圧は、タッチスクリーン表示装置の外部圧力に順応して変化し、タッチパネルが表示パネルに部分的に、一時的に密着した場合でも正常な離隔状態に復帰する。その結果、前記タッチパネルが前記表示パネルに不均一に密着し、元の形態に復帰しないという不良を防止することができる。同時に、本発明による通気部材又は通気路は、埃等のパーティクルの侵入を防止するので、前記タッチパネルと表示パネルとの間の空間は汚染されない。
このようにして、航空機による輸送や手指先によるタッチが繰り返されても、画質の歪曲・劣化が生じない、実用に耐えるタッチスクリーン表示装置を供給できる。
【００７５】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００７６】
【図１】本発明の実施例１によるタッチスクリーン表示装置の分解斜視図である。
【図２】図１に示したタッチスクリーン表示装置をＩ−Ｉ’に沿って切断した断面図である。
【図３】図２に示したＡ領域の拡大図である。
【図４】本発明の実施例２によるタッチスクリーン表示装置の断面図である。
【図５】本発明の実施例３によるタッチスクリーン表示装置の分解斜視図である。
【図６】図５に示したタッチスクリーン表示装置をＩＩ−ＩＩ’に沿って切断した断面図である。
【図７】本発明の実施例４によるタッチスクリーン表示装置の分解斜視図である。
【図８】図７に示したタッチスクリーン表示装置の、接着部材６５０の平面図である。
【図９】図８に示したＢ領域の拡大図である。
【図１０】本発明の実施例５によるタッチスクリーン表示装置の、接着部材８５０の平面図の部分拡大図である。
【符号の説明】
【００７７】
３、６０３、８０３    パーティクル（埃、異物）
１０、２１０、４１０、６１０    表示パネル
１１、２１１、４１１    第１基板
１２、２１２、４１２、６１２    フレキシブル印刷回路基板
１３、２１３、４１３    第２基板
１５、２１５、４１５、６１５    第１偏光フィルム
１７、２１７、４１７、６１７、８１７    第２偏光フィルム
３０、２３０、４３０、６３０    タッチパネル
５０、２５０、４５０    接着部
５１、２５１、４５１、６５０、８５０    接着部材（接着テープ、接着フィルム、粘着剤）
５５、２５５、４５５    通気部材
２００、４００、６００、８００    タッチスクリーン表示装置
６５３、８５３    第１接着テープ
６５５、８５５    第２接着テープ
６５７、８５７    通気路
【図１】
2007293810.tif 000003
【図２】
2007293810.tif 000004
【図３】
2007293810.tif 000005
【図４】
2007293810.tif 000006
【図５】
2007293810.tif 000007
【図６】
2007293810.tif 000008
【図７】
2007293810.tif 000009
【図８】
2007293810.tif 000010
【図９】
2007293810.tif 000011
【図１０】
2007293810.tif 000012